(57)【要約】【課題】  マンホールから作業員が出入りする場合、マンホールの鉛直部分には梯子が設けられているので、そこを昇降することになる。しかし、地上から地下道に入るとき、又は地下道から上がってきて最後に地上に出るときには、それ以上梯子がないため、地面に手をついて昇降することになる。これが面倒であり、危険でもある。降雨時で地面が濡れている場合等は特にそうである。このようなことを防止するため、マンホールからの出入りを容易にし、かつ簡単に着脱できるマンホール用補助梯子を提供する。【解決手段】  マンホールの開口部の上方に載置して用いるものであって、立体的枠体に梯子部を設け、該枠体の下部に、筒体が少なくとも３方から固定されているもの。【選択図】  図１
2010265658.tif 000002
【特許請求の範囲】
【請求項１】
マンホールの開口部の上方に載置して用いるものであって、立体的枠体に梯子部を設け、該枠体の下部に、筒体が少なくとも３方から固定されていることを特徴とするマンホール用補助梯子。
【請求項２】
該筒体の固定は、長さ調節可能な締め付け具によって行われるものである請求項１記載のマンホール用補助梯子。
【請求項３】
該枠体の下方に移動用の移動部が設けられている請求項１又は記載のマンホール用補助梯子。
【発明の詳細な説明】
【技術分野】
【０００１】
本発明は、マンホール用補助梯子に関するものである。
【背景技術】
【０００２】
マンホールとは、地面から地下道に入るための孔である。地下道は下水用、ガスや電気等の種々のインフラ用、その他の目的で日本中に存在する。この地下道に人間が入るための開口がマンホールである。勿論、開口部が非常に大きく何ｍもあるところもあるが、ほとんどは人間１人が通れる程度のサイズである。また、道路に存在するため、その上を車両や人間が通過するため、マンホールは蓋を閉めるとフラットである。
【０００３】
このようなマンホールから作業員が出入りする場合、マンホールの鉛直部分には梯子が設けられているので、そこを昇降することになる。しかし、地上から地下道に入るとき、又は地下道から上がってきて最後に地上に出るときには、それ以上梯子がないため、地面に手をついて昇降することになる。これが面倒であり、危険でもある。降雨時で地面が濡れている場合等は特にそうである。
【０００４】
このようなことを防止するため、特許文献１のように、マンホールの上方に梯子を固定する方法が提案されているが、作業が終わると外さなければならず、その手間が大きい。
【先行技術文献】
【特許文献】
【０００５】
【特許文献１】特開２００５−２６９６
【発明の概要】
【発明が解決しようとする課題】
【０００６】
そこで、マンホールからの出入りを容易にし、かつ簡単に着脱できるマンホール用補助梯子を提供する。
【課題を解決するための手段】
【０００７】
以上のような状況に鑑み、本発明者は鋭意研究の結果本発明マンホール用補助梯子を完成したものであり、その特徴とするところは、マンホールの開口部の上方に載置して用いるものであって、立体的枠体に梯子部を設け、該枠体の下部に、筒体が少なくとも３方から固定されている点にある。
【０００８】
ここでいう立体的枠体とは、全体として円筒又は四角柱の形状を枠組で構成したものである。高さとしては、少なくとも５０ｃｍは必要である。これは地面に手をつかずに昇降できるための最小の高さである。好ましくは、８０ｃｍ〜１５０ｃｍである。１５０ｃｍ以上は効果が変わらず不要である。最も良かったのは、１００〜１３０ｃｍであった。
【０００９】
枠の平面視の形状は円形や矩形であるが、その大きさはマンホールの開口部より少し大きい程度でよい。例えば、８０ｃｍ×８０ｃｍ等である。マンホールの開口のサイズによって変わるため、６０ｃｍ〜９０ｃｍ程度である。
【００１０】
この枠体の一側面に梯子部を設けている。この梯子部とマンホール内の梯子の位置を合わせて設置するものである。梯子部の段差は通常の梯子程度でよい。例えば、１段が２０ｃｍ〜４０ｃｍ程度である。この梯子部は、枠体に設けた突起でも、ステップやハンドルのようなものでもよい。また、特別なものを設けず枠体自体が梯子を兼ねるようにしてもよい。
【００１１】
枠体の一側面は出入りするため開放されている。梯子部の反対側が好適である。完全に開放でなくとも、１本や２本の補強枠があってもよい。
【００１２】
この枠体は、棒体、アングル等どのようなもので構成してもよいが、パイプが軽量で強度もあり最もよかった。材質は通常の鋼材でもステンレスでもどのようなものでもよい。
また、搬送が容易なように枠体は組み立て式にしてもよい。
【００１３】
枠体には、どの位置でもよいが（最下部が好適）、移動用の車輪やキャスターのような移動部を設けてもよい。移動部はは２箇所でも４箇所でもよい。この移動部は、設置時に回転部は地上に触れないようにするほうがよい。移動時には枠体を傾けて回転部が地面にくるようにすればよい。
【００１４】
この枠体の下方に少なくとも３方から筒体が固定されている。このパイプが本発明の最も大きな特徴である。
このパイプは、マンホールに嵌り込んで、上方の枠体を固定するためのものである。よって、このパイプの外径はマンホールの内径にほぼ等しいものである。マンホールの開口部のサイズは、何種類かあるが、その種類だけ準備しておき、交換可能にする。
【００１５】
この筒体は、少なくとも三方から支持されている。支持の方法は、どのようなものでもよいが、着脱自在に支持するのがよい。これは筒体を交換するようにするためである。
サイズの違う筒体に交換する場合には、固定具ごと交換する。
【００１６】
また、固定具を長さ調節可能な締め付け具にしておくことも好適である。例えば、ターンバックル等である。このような固定具であれば、筒体のサイズが変わっても、調整によって固定できるため、固定具自体を交換する必要はない。
【００１７】
支持する箇所は三方以上であり、四方が好適である。
【００１８】
筒体は、外径は上記した通りであるが、高さは枠体が固定できる程度あればよい。通常は、１０ｃｍ以上あればよいが、２０ｃｍ〜４０ｃｍ程度が好適である。また、マンホール内の突起等が邪魔にならないように切り欠きを設けてもよい。
材質としては枠体と同様で鋼材やステンレスでよい。
【発明の効果】
【００１９】
本発明には次のような効果がある。
（１）  マンホールの上方に補助梯子ができるため、マンホールへ、又はマンホールからの出入りが非常に簡単になる。
（２）  設置は、下方の筒体をマンホールに入れるだけであり、非常に簡単です。勿論、取り外しも簡単である。
（３）  マンホールの上方に枠体があるため、不注意による落下防止にもなる。
（４）  筒体が着脱自在であるため、マンホールのサイズによらず使用できる。
【図面の簡単な説明】
【００２０】
【図１】本発明マンホール用補助梯子１の１例を示す斜視図である。
【図２】図１の例の枠体４を移動させる場合に、回転部８を接地させているところを示す側面図である。
【図３】図１の例をマンホールに適用したところを示す断面図である。
【図４】本発明マンホール用補助梯子１の他の例を示すもので、（ａ）は正面図、（ｂ）は側面図である。
【図５】本発明マンホール用補助梯子１の他の例を示す部分斜視図である。
【図６】図５の例の部分断面図である。
【発明を実施するための最良の形態】
【００２１】
以下実施例に基づいて、本発明をより詳細に説明する。
【実施例１】
【００２２】
図１は、本発明マンホール用補助梯子１の１例を示す斜視図である。枠体２は、全面部が開放されており、人間が出入りできるようになっている。後部には、把手形状の梯子部３が設けられている。この枠体２の全体形状は直方体である。
【００２３】
枠体２の最下部４にターンバックル５が４箇所取り付けられている。このターンバックル５自体も着脱自在である。ターンバックル５は筒体５を支持している。筒体６は、通常の状態で最下部４よりも下方に位置する。この図は、筒体６がマンホール内に入っているところを想定して描いている。
【００２４】
さらに、最下部４には、２箇所、キャスター７が設けられている。図１のように通常の設置状態では、回転部８が地面に接しないように取り付けられている。
【００２５】
図２は、枠体４を移動させる場合に、回転部８を接地させているところである。このようにすれば、簡単に移動することができる。
【００２６】
図３は、図１の例をマンホールに適用したところを示す。
マンホールの開口部９に筒体６を嵌め込み固定したところである。これによって、筒体６はしっかり固定される。筒体６と枠体４はターンバックル５によって固定されているため、ボルトやナット等の固定具がまったくなくても、十分固定される。即ち、本発明マンホール用補助梯子の筒体をマンホールに入れるだけでよいのである。
【００２７】
図３は、マンホール内の梯子１０の第１ステップに足を掛けたところであるが、本発明補助梯子に手を掛けて降りているため、非常に降りやすいことが分かる。
【００２８】
図４は、本発明マンホール用補助梯子１の他の例を示すもので、マンホールの上方部にフック１１を設けたものである。このフックに、ウインチやチェーンブロックを係止し、重量物をマンホールに出し入れすることができる。これによって、危険性を大きく軽減することができる。
【００２９】
図５は、マンホール内にも梯子を設ける例である。マンホールによっては、内部に梯子がないものもある。このようなマンホールでは、降りる場合に、常に梯子を上部から差し入れて降りている。これが面倒で危険である。
【００３０】
図５は、本発明筒体６に固定板１２が固着（溶接等）されており、その固定板１２に係止板１３がボルト止めされている。このボルトは裏面のナットで固定するのではなく、ナット１４が埋め込み固定されている。よって、表側からネジ込むだけで固定される。係止板１３には、Ｕボルト１５によってマンホール内梯子１６が可回転に係止されている。これは、マンホール内梯子１６を傾斜させることができるようにするためである。
係止板１３は、作業者が入り易いように奥に積極している。
【００３１】
図５では、マンホール内梯子１６は２段スライド式であり、１段が約２ｍ程度である。勿論、これは１段式でも、３段以上のスライド式でもよい。
【００３２】
この例では、マンホール内に梯子がなくても、本発明マンホール用補助梯子１の筒体６をマンホールに挿入し、マンホール内梯子１５を降ろし、ボルトで固定するだけでよい。勿論、予めマンホール内梯子１６を取り付けた後、本発明マンホール用補助梯子１をマンホールに取り付けてもよい。
【符号の説明】
【００３３】
１  本発明マンホール用補助梯子
２  枠体
３  梯子部
４  最下部
５  ターンバックル
６  筒体
７  キャスター
８  回転部
９  マンホールの開口部
１０  マンホール内の梯子
１１  フック
１２  固定板
１３  係止板
１４  ナット
１５  Ｕボルト１４
１６  マンホール内梯子
【図１】
2010265658.tif 000003
【図２】
2010265658.tif 000004
【図３】
2010265658.tif 000005
【図４】
2010265658.tif 000006
【図５】
2010265658.tif 000007
【図６】
2010265658.tif 000008